(57)【要約】  メンテナンス性の向上を図った上で種類の異なる光源を使用可能として汎用性の向上を図る。  変調素子を含む光学系が配置された光学ユニットと、変調素子に信号を送出する信号ユニットと、光を出射する光源と光源から出射された光を光学ユニットに入射させるレンズと内部に光源が配置されたケースとを有する光源ブロックと、光源に電力を供給する光源用電源ブロックと、信号ユニットと光源用電源ブロックに電力を供給する電源ユニットと、光学ユニットと信号ユニットと電源ユニットと光源ブロックと光源用電源ブロックが配置された外筐とを備え、光源ブロックは種類の異なる光源をそれぞれ有する異なる種類に交換可能とされた。
2017159113.tif 000002
【特許請求の範囲】
【請求項１】
変調素子を含む光学系が配置された光学ユニットと、
前記変調素子に信号を送出する信号ユニットと、
光を出射する光源と前記光源から出射された光を前記光学ユニットに入射させるレンズと内部に前記光源が配置されたケースとを有する光源ブロックと、
前記光源に電力を供給する光源用電源ブロックと、
前記信号ユニットと前記光源用電源ブロックに電力を供給する電源ユニットと、
前記光学ユニットと前記信号ユニットと前記電源ユニットと前記光源ブロックと前記光源用電源ブロックが配置された外筐とを備え、
前記光源ブロックは種類の異なる前記光源をそれぞれ有する異なる種類に交換可能とされた
プロジェクター。
【請求項２】
前記光源用電源ブロックは前記光源ブロックの種類に応じた異なる種類に交換可能とされた
請求項１に記載のプロジェクター。
【請求項３】
前記光源ブロックと前記光源用電源ブロックが光源ユニットとして設けられ、
前記光源ユニットは異なる種類に交換可能とされた
請求項１に記載のプロジェクター。
【請求項４】
冷却風を生成する少なくとも一つの冷却ファンを有する冷却機構が設けられ、
前記ケースには前記光源の種類に応じた位置に前記冷却ファンによって生成される冷却風を前記光源ブロックの内外で流動させる流動孔が形成された
請求項１に記載のプロジェクター。
【請求項５】
前記流動孔が前記冷却ファンに対向する位置に形成された
請求項４に記載のプロジェクター。
【請求項６】
前記冷却ファンが前記外筐に取り付けられている
請求項４に記載のプロジェクター。
【請求項７】
前記光源ブロックには前記光学ユニットに対して位置決めを行う位置決め部が設けられた
請求項１に記載のプロジェクター。
【請求項８】
前記光源ブロックには前記光学ユニットに締結される締結部が設けられた
請求項７に記載のプロジェクター。
【請求項９】
前記位置決め部と前記締結部が共通化された
請求項８に記載のプロジェクター。
【発明の詳細な説明】
【技術分野】
【０００１】
本技術は変調素子によって光源から出射された光を変調して画像として投影するプロジェクターについての技術分野に関する。
【先行技術文献】
【特許文献】
【０００２】
【特許文献１】特開２００６−３０９０９６号公報
【特許文献２】特開２００６−３３７９４１号公報
【背景技術】
【０００３】
光源から出射された光を液晶パネルやＤＭＤ（digital micromirror device）素子等の変調素子によって変調し変調素子によって変調された光を投影レンズによってスクリーン上に画像として投影するように構成されたプロジェクターがある。【０００４】
プロジェクターは、変調素子を含む光学系が配置された光学ユニットと、変調素子に信号を送出する信号ユニットと、光を出射する光源を有する光源ブロックと、信号ユニットと光源用電源ブロックに電力を供給する電源ユニットとを備えている。プロジェクターにおいては、例えば、光源から出射された光を赤色と緑色と青色の波長帯域に分離して変調素子によってそれぞれ各波長帯域の光を変調し、スクリーン上に投射して重ね合わせることによってカラー画像が表示される。【０００５】
このようなプロジェクターには、メンテナンス性の向上を図るために、光源ブロックが交換可能に構成されたものがある（例えば、特許文献１及び特許文献２参照）。【０００６】
特許文献１に記載されたプロジェクターにあっては、光を出射する光源（バーナー）と光源が取り付けられたリフレクターとによって光源ブロックが構成され、光源ブロックが光源を冷却するランプ冷却装置に対して交換可能とされている。【０００７】
光源ブロックがランプ冷却装置に対して交換可能とされることにより、光源の破損時におけるメンテナンス性の向上が図られている。【０００８】
また、特許文献１に記載されたプロジェクターにあっては、リフレクターがランプ冷却装置に取り付けられており、光源とリフレクターとランプ冷却装置を一体化させたブロックが、変調素子を有する光学ユニット（光学エンジン本体部）に対して交換可能ともされている。【０００９】
このような光源とリフレクターとランプ冷却装置を一体化させたブロックが光学ユニットに対して交換されることにより、破損したバーナーの破片が残留するランプ冷却装置を光源とともに交換するため、破片の飛散が防止されメンテナンス性の一層の向上が図られる。【００１０】
特許文献２に記載されたプロジェクターにあっては、光を出射する光源と光源から出射された光を制御する制御素子（ダイクロイックミラー又はコリメートレンズ）を有する光源ブロックが設けられ、光源ブロックが変調素子を有する光学ユニットに対して交換可能とされている。【００１１】
光源と制御素子を有する光学ブロックが光学ユニットに対して交換可能とされることにより、予め光源と制御素子の間の光軸調整が行われている光源ブロックが交換されるため、交換後の光軸調整が不要になりメンテナンス性の向上が図られている。
【発明の概要】
【発明が解決しようとする課題】
【００１２】
ところで、プロジェクターにおいては、光源として可視光領域での発光効率が高い超高圧水銀ランプ（Ultra High Performance Lamp）が用いられることが多いが、近年、技術の発展により光源としてレーザーダイオード（Laser Diode）や発光ダイオード（ＬＥＤ: Light Emitting Diode）等の他の種類の光源も用いられるようになってきた。【００１３】
レーザーダイオードは、出射される光が波長や振幅のばらつきの少ないコヒーレント光であり、レンズ等によって集光させた場合に色収差が生じ難いと言う特性を有している。また、レーザーダイオードは、特定の強度以上の電流が流れたときに光が出力されると言う閾値電流特性を有しており、閾値付近における電流の増減によって極めて高い感度での光の出力の切替を行うことが可能であり、高い波長領域での変調も可能とされている。【００１４】
一方、発光ダイオードは、信頼性が高く長寿命であり、コストパフォーマンスが高いと言う利点を有している。また、発光ダイオードは消費電力が低いと共に発熱性が低く、熱に変換されて消費される電力が少なくて済み、発光効率が高いと言う特性を有する他、光源の大きさが小さく発光部の小型化を図ることも可能である。【００１５】
このような状況において、特許文献１や特許文献２に記載されたように光源を有する光源ブロックを交換可能としてメンテナンス性の向上を図ることも必要であるが、プロジェクターにおいては、例えば、使用環境や使用目的等に応じて種類の異なる光源を使用可能として汎用性の向上を図ることが望まれる。【００１６】
そこで、本技術プロジェクターは、上記した問題点を克服し、メンテナンス性の向上を図った上で種類の異なる光源を使用可能として汎用性の向上を図ることを目的とする。
【課題を解決するための手段】
【００１７】
第１に、本技術に係るプロジェクターは、上記した課題を解決するために、変調素子を含む光学系が配置された光学ユニットと、前記変調素子に信号を送出する信号ユニットと、光を出射する光源と前記光源から出射された光を前記光学ユニットに入射させるレンズと内部に前記光源が配置されたケースとを有する光源ブロックと、前記光源に電力を供給する光源用電源ブロックと、前記信号ユニットと前記光源用電源ブロックに電力を供給する電源ユニットと、前記光学ユニットと前記信号ユニットと前記電源ユニットと前記光源ブロックと前記光源用電源ブロックが配置された外筐とを備え、前記光源ブロックは種類の異なる前記光源をそれぞれ有する異なる種類に交換可能とされたものである。【００１８】
これにより、異なる種類の光源ブロックの交換により種類の異なる光源の使用が可能とされる。【００１９】
第２に、上記した本技術に係るプロジェクターにおいては、前記光源用電源ブロックは前記光源ブロックの種類に応じた異なる種類に交換可能とされることが望ましい。【００２０】
これにより、交換される光源ブロックに応じた光源用電源ブロックに交換される。【００２１】
第３に、上記した本技術に係るプロジェクターにおいては、前記光源ブロックと前記光源用電源ブロックが光源ユニットとして設けられ、前記光源ユニットは異なる種類に交換可能とされることが望ましい。【００２２】
これにより、光源ブロックと光源用電源ブロックが一度の作業によって交換される。【００２３】
第４に、上記した本技術に係るプロジェクターにおいては、冷却風を生成する少なくとも一つの冷却ファンを有する冷却機構が設けられ、前記ケースには前記光源の種類に応じた位置に前記冷却ファンによって生成される冷却風を前記光源ブロックの内外で流動させる流動孔が形成されることが望ましい。【００２４】
これにより、冷却ファンによって生成された冷却風が交換された光源ブロックの種類に拘わらず光源ブロックの内外で流動される。【００２５】
第５に、上記した本技術に係るプロジェクターにおいては、前記流動孔が前記冷却ファンに対向する位置に形成されることが望ましい。【００２６】
これにより、光源ブロックに交換されたときに流動孔と冷却ファンの位置が一致される。【００２７】
第６に、上記した本技術に係るプロジェクターにおいては、前記冷却ファンが前記外筐に取り付けられていることが望ましい。【００２８】
これにより、冷却ファンが光源ブロックに配置されない分、光源ブロックが軽量化される。【００２９】
第７に、上記した本技術に係るプロジェクターにおいては、前記光源ブロックには前記光学ユニットに対して位置決めを行う位置決め部が設けられることが望ましい。【００３０】
これにより、光源ブロックの交換時に光源ブロックが光学ユニットに対して位置決めされて光源ブロックと光学ユニットの適正な位置関係が確保される。【００３１】
第８に、上記した本技術に係るプロジェクターにおいては、前記光源ブロックには前記光学ユニットに締結される締結部が設けられることが望ましい。【００３２】
これにより、光源ブロックの交換時に光源ブロックが光学ユニットに締結部によって締結される。【００３３】
第９に、上記した本技術に係るプロジェクターにおいては、前記位置決め部と前記締結部が共通化されることが望ましい。【００３４】
これにより、光源ブロックの交換時に光源ブロックが光学ユニットに対して位置決めされると共に光源ブロックが光学ユニットに締結部によって締結される。
【発明の効果】
【００３５】
本技術によれば、異なる種類の光源ブロックの交換により種類の異なる光源の使用が可能とされるため、汎用性の向上を図ることができる。【００３６】
尚、ここに記載された効果は必ずしも限定されるものではなく、本開示中に記載された何れかの効果であってもよい。
【図面の簡単な説明】
【００３７】
【図１】図２乃至図１０と共に本技術プロジェクターの実施の形態を示すものであり、本図は、プロジェクターの構成を示す概念図である。
【図２】光学ユニットの構成を示す概念図である。
【図３】光源としてレーザーダイオードが用いられた光源ブロックの構成を示す概念図である。
【図４】光源として発光ダイオードが用いられた光源ブロックの構成を示す概念図である。
【図５】光源ユニットが設けられたプロジェクターの構成を示す概念図である。
【図６】図７乃至図９と共に光源としてレーザーダイオードが用いられた光源ブロックの変形例を示すものであり、本図は、第１の変形例の構成を示す概念図である。
【図７】第２の変形例の構成を示す概念図である。
【図８】第３の変形例の構成を示す概念図である。
【図９】第４の変形例の構成を示す概念図である。
【図１０】光源として発光ダイオードが用いられた光源ブロックの変形例の構成を示す概念図である。
【発明を実施するための形態】
【００３８】
以下に、本技術プロジェクターを実施するための形態を添付図面を参照して説明する。
【００３９】
以下の説明にあっては、プロジェクターによる画像の投影時において投影方向を前方として前後上下左右の方向を示すものとする。尚、以下に示す前後上下左右の方向は説明の便宜上のものであり、本技術の実施に関しては、これらの方向に限定されることはない。
【００４０】
＜プロジェクターの全体構成＞
プロジェクター１は外筐２の内外に所要の各部が配置されて成る（図１参照）。外筐２の外面には、電源供給用の接続端子３が設けられている。接続端子３には電源に接続される図示しない電源ケーブルの端子部が接続され、電源から電源ケーブルを介して接続端子３に電力が供給される。
【００４１】
外筐２の内部には光源ブロック４と光源用電源ブロック５と光学ユニット６と信号ユニット７と電源ユニット８が配置されている。
【００４２】
光源ブロック４はケース９と光源１０とレンズ１１を有している（図１及び図２参照）。
【００４３】
ケース９は、例えば、直方体形状又は立方体形状の箱状に形成されている。ケース９には、例えば、対向する各面にそれぞれ流入孔９ａと流出孔９ｂが形成されている。ケース９には、例えば、流入孔９ａが形成された面に取入孔９ｃが形成されている。流入孔９ａと流出孔９ｂと取入孔９ｃは冷却風を光源ブロック４の内外で流動させる流動孔として機能する。
【００４４】
ケース９には流入孔９ａの開口縁にケース９の内外を連通するダクト１２が取り付けられている。ダクト１２はケース９を貫通された状態で取り付けられ、外筐２の内部に保護された部分が光源１０側を向くように傾斜されている。
【００４５】
ケース９の前面には、例えば、前方に突出された位置決め部１３、１３とコネクター１４が設けられている。
【００４６】
尚、ケース９には光学ユニット６に締結される締結部が設けられていてもよく、この締結部は位置決め部１３、１３と共通化されていてもよい。締結部が位置決め部１３、１３と共通化されている場合には、位置決め部１３、１３が光学ユニット６に対する位置決め機能を有すると共に締結機能を有する。
【００４７】
また、位置決め部１３、１３と締結部はそれぞれ外筐２に対する位置決めと外筐２に対する締結を行うためのものであってもよい。
【００４８】
光源１０としては、例えば、超高圧水銀ランプが用いられている。ケース９の内部にはリフレクター１５が配置され、リフレクター１５に光源１０が取り付けられている。
【００４９】
レンズ１１は、例えば、集光レンズ又はコリメートレンズである。レンズ１１はケース９の前面部に取り付けられ、光源１０の前方に位置されている。
【００５０】
外筐２の内部には第１の冷却ファン１６と第２の冷却ファン１７が光源ブロック４を挟んで反対側に配置されている（図１参照）。第１の冷却ファン１６と第２の冷却ファン１７は冷却機構を構成する。第１の冷却ファン１６としては、例えば、シロッコファンが用いられ、第２の冷却ファン１７としては、例えば、軸流ファンが用いられている。第１の冷却ファン１６はダクト１２に連結され、第２の冷却ファン１７はケース９の流出孔９ｂを覆うように位置されている。
【００５１】
上記のように構成された光源ブロック４において光源１０から光が出射されると、出射された光はリフレクター１５で反射されてレンズ１１に入射され、レンズ１１から光学ユニット６へ向かう。このとき第１の冷却ファン１６によって流入孔９ａを介してケース９の内部に冷却風が取り込まれて光源１０とリフレクター１５が冷却され、冷却により温度が上昇した冷却風が第２の冷却ファン１７によって流出孔９ｂから排出される。また、同時に外筐２の内部に存在する空気が取入孔９ｃを介してケース９の内部に冷却風として取り込まれてリフレクター１５が冷却され、冷却により温度が上昇した冷却風が第２の冷却ファン１７によって流出孔９ｂから排出される。
【００５２】
光源用電源ブロック５は第１の接続部１８によって光源ブロック４のコネクター１４に接続されている。光源用電源ブロック５は光源ブロック４の光源１０に電源を供給する機能を有している。尚、第１の接続部１８はフレキシブル配線板やケーブル等の接続線であり、後述する第２の接続部以下の各接続部も同様にフレキシブル配線板やケーブル等の接続線である。
【００５３】
光学ユニット６は筐体１９と光学系２０を有している（図１及び図２参照）。
【００５４】
筐体１９の後面には位置合わせ部２１、２１が設けられている。位置合わせ部２１、２１にはそれぞれ位置決め部１３、１３が係合され、光学ユニット６に対する光源ブロック４の位置決めが行われている。光学ユニット６に対して光源ブロック４の位置決めが行われることにより、光源１０の光軸と光学系２０の光軸とが一致されている。
【００５５】
尚、光源ブロック４の締結部が光学ユニット６に対する締結を行うものである場合には、光源ブロック４の締結部が光学ユニット６に締結されている。また、光源ブロック４の位置決め部１３、１３が外筐２に対する位置決めを行うためのものである場合には、光学ユニット６には位置合わせ部２１、２１が設けられず、光学ユニット６は外筐２に対して位置決めされた状態で外筐２の内部に配置されている。但し、この場合においても、光源ブロック４の位置決め部１３、１３が外筐２に対して位置決めされることにより、光源ブロック４が外筐２を介して光学ユニット６に位置決めされ、光源１０の光軸と光学系２０の光軸とが一致されている。
【００５６】
光学系２０は、例えば、各光路上に配置された第１のダイクロイックミラー２２と第１の反射ミラー２３と第２のダイクロイックミラー２４と第２の反射ミラー２５と第３の反射ミラー２６を有している（図２参照）。第２のダイクロイックミラー２４と第２の反射ミラー２５の間には第１のリレーレンズ２７が配置され、第２の反射ミラー２５と第３の反射ミラー２６の間には第２のリレーレンズ２８が配置されている。
【００５７】
赤色の光路Ｒ上には第１のフィールドレンズ２９Ｒと第１の変調素子３０Ｒが配置され、緑色の光路Ｇ上には第２のフィールドレンズ２９Ｇと第２の変調素子３０Ｇが配置され、青色の光路Ｂ上には第３のフィールドレンズ２９Ｂと第３の変調素子３０Ｂが配置されている。赤色の光路Ｒと緑色の光路Ｇと青色の光路Ｂが合成される位置にはダイクロイックプリズム３１が配置され、ダイクロイックプリズム３１に対向する位置には投影レンズ３２が配置されている。ダイクロイックプリズム３１はそれぞれ光を反射又は透過する第１の制御面３１ａと第２の制御面３１ｂを有している。ダイクロイックプリズム３１は各面がそれぞれ第１の変調素子３０Ｒと第２の変調素子３０Ｇと第３の変調素子３０Ｂに対向して位置されている。
【００５８】
上記のような光学系２０において、光源１０から出射されレンズ１１を介して第１のダイクロイックミラー２２に光（白色光）が入射されると、入射された光は赤色の成分が第１のダイクロイックミラー２２を透過されると共に緑色の成分と青色の成分が第１のダイクロイックミラー２２で反射される。
【００５９】
第１のダイクロイックミラー２２を透過された赤色の成分は第１の反射ミラー２３で反射されて第１のフィールドレンズ２９Ｒを介して第１の変調素子３０Ｒに入射され、第１の変調素子３０Ｒによって変調されてダイクロイックプリズム３１に入射される。
【００６０】
一方、第１のダイクロイックミラー２２で反射された緑色の成分と青色の成分は第２のダイクロイックミラー２４に入射され、緑色の成分が第２のダイクロイックミラー２４で反射されると共に青色の成分が第２のダイクロイックミラー２４を透過される。
【００６１】
第２のダイクロイックミラー２４で反射された緑色の成分は第２のフィールドレンズ２９Ｇを介して第２の変調素子３０Ｇに入射され、第２の変調素子３０Ｇによって変調されてダイクロイックプリズム３１に入射される。
【００６２】
また、第２のダイクロイックミラー２４を透過された青色の成分は第１のリレーレンズ２７を透過されて第２の反射ミラー２５で反射され第２のリレーレンズ２８を介して第３の反射ミラー２６に入射され、第３の反射ミラー２６で反射されて第３のフィールドレンズ２９Ｂを介して第３の変調素子３０Ｂに入射され、第３の変調素子３０Ｂによって変調されてダイクロイックプリズム３１に入射される。
【００６３】
ダイクロイックプリズム３１に入射された赤色の成分は制御面３１ａで反射され、ダイクロイックプリズム３１に入射された緑色の成分は第１の制御面３１ａと第２の制御面３１ｂを透過され、ダイクロイックプリズム３１に入射された青色の成分は第２の制御面３１ｂで反射される。赤色の成分と緑色の成分と青色の成分は第１の制御面３１ａと第２の制御面３１ｂにおいて反射又は透過されることにより合成され、投影レンズ３２によって図示しないスクリーン等にカラーの画像として投影される。
【００６４】
光学ユニット６の第１の変調素子３０Ｒと第２の変調素子３０Ｇと第３の変調素子３０Ｂは第２の接続部３３によって信号ユニット７に接続されている。信号ユニット７は第１の変調素子３０Ｒと第２の変調素子３０Ｇと第３の変調素子３０Ｂにそれぞれ所定の信号を送出して第１の変調素子３０Ｒと第２の変調素子３０Ｇと第３の変調素子３０Ｂの変調制御を行う機能を有している。
【００６５】
信号ユニット７は第３の接続部３４によって電源ユニット８に接続され、電源ユニット８は第４の接続部３５によって光源用電源ブロック５に接続されている。従って、電源ユニット８は信号ユニット７と光源用電源ブロック５にそれぞれ電力を供給する機能を有している。また、電源ユニット８は第５の接続部３６によって接続端子３に接続され、電源から電力が電源ケーブル及び接続端子３を介して電源ユニット８に供給される。
【００６６】
上記のように構成されたプロジェクター１においては、光源ブロック４に代えてそれぞれ種類の異なる光源を有する光源ブロック４Ａ又は光源ブロック４Ｘに交換可能とされている（図３及び図４参照）。
【００６７】
光源ブロック４はコネクター１４から第１の接続部１８を取り外し位置決め部１３、１３を位置合わせ部２１、２１から取り外し締結部の締結を解除することにより外筐２から取り出すことができる。
【００６８】
尚、プロジェクター１においては、逆に、光源ブロック４Ａが用いられている場合に光源ブロック４Ａが光源ブロック４又は光源ブロック４Ｘに交換可能とされ、光源ブロック４Ｘが用いられている場合に光源ブロック４Ｘが光源ブロック４又は光源ブロック４Ａに交換可能とされている。
【００６９】
このように、プロジェクター１においては、光源ブロック４Ａ又は光源ブロック４Ｘに代えて光源ブロック４に交換可能とされており、光源ブロック４は、流動孔として機能する流入孔９ａが外筐２に配置された第１の冷却ファン１６に対向する位置に形成されている。
【００７０】
従って、光源ブロック４に交換されたときに流入孔９ａと第１の冷却ファン１６の位置が一致されるため、第１の冷却ファン１６に対する光源ブロック４の位置決め作業を行うことなく冷却機構による光源ブロック４に対する高い冷却性能を確保することができる。
【００７１】
また、第１の冷却ファン１６と第２の冷却ファン１７が予め外筐２に取り付けられているため、第１の冷却ファン１６と第２の冷却ファン１７が光源ブロック４に配置されない分、光源ブロック４が軽量化され、光源ブロック４の交換作業における作業性の向上を図ることができる。
【００７２】
光源ブロック４Ａと光源ブロック４Ｘは光源１０とは種類の異なる光源１０Ａ、１０Ｘをそれぞれ有し光源ブロック４とは異なる種類の光源ブロックである。
【００７３】
光源ブロック４Ａはケース９Ａと光源１０Ａとレンズ１１を有している（図３参照）。
【００７４】
ケース９Ａは、例えば、直方体形状又は立方体形状の箱状に形成されている。ケース９Ａには、例えば、対向する各面における後端部にそれぞれ取入孔９ｃと流出孔９ｂが形成されている。
【００７５】
ケース９Ａの前面には、例えば、前方に突出された位置決め部１３、１３とコネクター１４が設けられている。
【００７６】
尚、ケース９Ａには光学ユニット６に締結される締結部が設けられていてもよく、この締結部は位置決め部１３、１３と共通化されていてもよい。締結部が位置決め部１３、１３と共通化されている場合には、位置決め部１３、１３が光学ユニット６に対する位置決め機能を有すると共に締結機能を有する。
【００７７】
また、位置決め部１３、１３と締結部はそれぞれ外筐２に対する位置決めと外筐２に対する締結を行うためのものであってもよい。
【００７８】
尚、光源ブロック４Ａには重量の大きい後述するヒートシンクが設けられており、光源ブロック４Ａは光源ブロック４に対して全体の重量が大きくなり易い。従って、光源ブロック４Ａにおいては、外筐２の内部における安定した配置状態を確保するために、締結部が外筐２に締結される構成にされることが望ましい。
【００７９】
光源１０Ａとしてはレーザーダイオードが用いられている。光源１０Ａは基板３７上に搭載されている。
【００８０】
ケース９Ａの内部にはヒートシンク３８と第１の反射ミラー３９と第２の反射ミラー４０とホイールモーター４１が配置されている。
【００８１】
ヒートシンク３８は前後方向を向く板状に形成されたベース部３８ａとベース部３８ａから後方に突出された放熱フィン３８ｂ、３８ｂ、・・・とを有し、放熱フィン３８ｂ、３８ｂ、・・・の後端がケース９Ａの後面部より前方に位置されている。従って、ケース９Ａの内部には後面部とベース部３８ａの間に空間が形成され、この空間が放熱空間９ｄとされている。ケース９Ａの内部空間のうちベース部３８ａの前側の空間は配置空間９ｅとして形成されている。配置空間９ｅは密閉空間とされている。
【００８２】
ケース９Ａに形成された取入孔９ｃと流出孔９ｂは放熱空間９ｄに連通されている。光源１０Ａが搭載された基板３７はヒートシンク３８のベース部３８ａに配置されている。
【００８３】
光源１０Ａと基板３７と第１の反射ミラー３９と第２の反射ミラー４０とホイールモーター４１は配置空間９ｅに配置されている。
【００８４】
上記のように構成された光源ブロック４Ａは筐体１９の位置合わせ部２１、２１にそれぞれ位置決め部１３、１３が係合されて光学ユニット６に対して位置決めされ、締結部が光学ユニット６に締結されることにより交換される。尚、光源ブロック４Ａは外筐２に位置決め及び締結されることにより交換されてもよい。光源ブロック４Ａが位置決めされて交換された状態においては、光源１０Ａの光軸と光学系２０の光軸とが一致される。また、第２の冷却ファン１７がケース９Ａの流出孔９ｂを覆うように位置される。
【００８５】
交換された光源ブロック４Ａのコネクター１４には第１の接続部１８が接続され、光源ブロック４Ａと光源用電源ブロック５が接続される。
【００８６】
上記のように構成された光源ブロック４Ａにおいて光源１０Ａから青色の光が出射されると、出射された光は順に第１の反射ミラー３９と第２の反射ミラー４０で反射され、ホイールモーター４１の回転によって白色光にされた状態でレンズ１１に入射され、レンズ１１から光学ユニット６へ向かう。光源１０Ａから光が出射されるときには、光源１０Ａと基板３７から発生する熱がヒートシンク３８に伝達されてヒートシンク３８から放熱空間９ｄに放出される。
【００８７】
このとき外筐２の内部に存在する空気が取入孔９ｃを介して放熱空間９ｄに冷却風として取り込まれてヒートシンク３８が冷却され、冷却により温度が上昇した冷却風が第２の冷却ファン１７によって流出孔９ｂから排出される。
【００８８】
尚、光源ブロック４Ａも光源ブロック４と同様に、コネクター１４から第１の接続部１８を取り外し位置決め部１３、１３を位置合わせ部２１、２１から取り外し締結部の締結を解除することにより外筐２から取り出すことができる。
【００８９】
光源ブロック４Ｘはケース９Ｘと光源１０Ｘとレンズ１１を有している（図４参照）。
【００９０】
ケース９Ｘは、例えば、直方体形状又は立方体形状の箱状に形成されている。ケース９Ｘには、例えば、対向する各面における後端部にそれぞれ取入孔９ｃと流出孔９ｂが形成されている。
【００９１】
ケース９Ｘの前面には、例えば、前方に突出された位置決め部１３、１３とコネクター１４が設けられている。
【００９２】
尚、ケース９Ｘには光学ユニット６に締結される締結部が設けられていてもよく、この締結部は位置決め部１３、１３と共通化されていてもよい。締結部が位置決め部１３、１３と共通化されている場合には、位置決め部１３、１３が光学ユニット６に対する位置決め機能を有すると共に締結機能を有する。
【００９３】
また、位置決め部１３、１３と締結部はそれぞれ外筐２に対する位置決めと外筐２に対する締結を行うためのものであってもよい。
【００９４】
尚、光源ブロック４Ｘには重量の大きい後述するヒートシンクが設けられており、光源ブロック４Ｘは光源ブロック４に対して全体の重量が大きくなり易い。従って、光源ブロック４Ｘにおいては、外筐２の内部における安定した配置状態を確保するために、締結部が外筐２に締結される構成にされることが望ましい。
【００９５】
光源１０Ｘとしては発光ダイオードが用いられている。光源１０Ｘは基板４２上に搭載されている。
【００９６】
ケース９Ｘの内部にはヒートシンク４３と反射鏡４４が配置されている。
【００９７】
ヒートシンク４３は前後方向を向く板状に形成されたベース部４３ａとベース部４３ａから後方に突出された放熱フィン４３ｂ、４３ｂ、・・・とベース部４３ａから前方に突出された突状配置部４３ｃとを有し、放熱フィン４３ｂ、４３ｂ、・・・の後端がケース９Ｘの後面部より前方に位置されている。従って、ケース９Ｘの内部には後面部とベース部４３ａの間に空間が形成され、この空間が放熱空間９ｄとされている。ケース９Ｘの内部空間のうちベース部４３ａの前側の空間は配置空間９ｅとして形成されている。配置空間９ｅは密閉空間とされている。
【００９８】
ケース９Ｘに形成された取入孔９ｃと流出孔９ｂは放熱空間９ｄに連通されている。光源１０Ｘが搭載された基板４２はヒートシンク４３の突状配置部４３ｃに配置されている。
【００９９】
光源１０Ｘと基板４２と反射鏡４４は配置空間９ｅに配置されている。
【０１００】
上記のように構成された光源ブロック４Ｘは筐体１９の位置合わせ部２１、２１にそれぞれ位置決め部１３、１３が係合されて光学ユニット６に対して位置決めされ、締結部が光学ユニット６に締結されることにより交換される。尚、光源ブロック４Ｘは外筐２に位置決め及び締結されることにより交換されてもよい。光源ブロック４Ｘが位置決めされて交換された状態においては、光源１０Ｘの光軸と光学系２０の光軸とが一致される。また、第２の冷却ファン１７がケース９Ｘの流出孔９ｂを覆うように位置される。
【０１０１】
交換された光源ブロック４Ｘのコネクター１４には第１の接続部１８が接続され、光源ブロック４Ｘと光源用電源ブロック５が接続される。
【０１０２】
上記のように構成された光源ブロック４Ｘにおいて光源１０Ｘから光（白色光）が出射されると、出射された光は反射鏡４４で反射されてレンズ１１に入射され、レンズ１１から光学ユニット６へ向かう。光源１０Ｘから光が出射されるときには、光源１０Ｘと基板４２から発生する熱がヒートシンク４３に伝達されてヒートシンク４３から放熱空間９ｄに放出される。
【０１０３】
このとき外筐２の内部に存在する空気が取入孔９ｃを介して放熱空間９ｄに冷却風として取り込まれてヒートシンク４３が冷却され、冷却により温度が上昇した冷却風が第２の冷却ファン１７によって流出孔９ｂから排出される。
【０１０４】
尚、光源ブロック４Ｘも光源ブロック４と同様に、コネクター１４から第１の接続部１８を取り外し位置決め部１３、１３を位置合わせ部２１、２１から取り外し締結部の締結を解除することにより外筐２から取り出すことができる。
【０１０５】
上記には、光源ブロック４、４Ａ、４Ｘが交換可能とされた例を示したが、プロジェクター１においては、光源用電源ブロック５が交換可能とされていてもよい。
【０１０６】
例えば、光源ブロック４と光源ブロック４Ａと光源ブロック４Ｘにはそれぞれ異なる種類の光源１０、１０Ａ、１０Ｘが設けられており、光源用電源ブロック５の光源１０、１０Ａ、１０Ｘに対する電力の供給制御が異なる。従って、このような場合を想定して、交換される光源ブロック４、４Ａ、４Ｘに応じて光源１０、１０Ａ、１０Ｘに対する電力の供給制御が異なる光源用電源ブロック５に交換する構成にすることが可能である。
【０１０７】
また、光源ブロック４Ａには電力の供給が必要なホイールモーター４１が設けられており、プロジェクター１に光源ブロック４Ａが用いられる場合にはホイールモーター４１の電力制御を行う回路基板を有する光源用電源ブロック５が必要とされる。従って、このような場合をも想定して、交換される光源ブロック４、４Ａ、４Ｘに応じて電力の供給状態が異なる光源用電源ブロック５に交換する構成にすることも可能である。
【０１０８】
このように光源ブロック４の種類に応じた光源用電源ブロック５に交換可能とされることにより、交換される光源ブロック４、４Ａ、４Ｘに応じた光源用電源ブロック５に交換されるため、交換された光源ブロック４、４Ａ、４Ｘに関する適正な動作状態を確保することができる。
【０１０９】
さらに、プロジェクター１においては、光源ブロック４（光源ブロック４Ａ、光源ブロック４Ｘ）と光源用電源ブロック５が光源ユニット１００として設けられ、光源ユニット１００が交換可能とされていてもよい（図５参照）。
【０１１０】
このように光源ブロック４と光源用電源ブロック５が一体化された光源ユニット１００が交換可能とされることにより、光源ブロック４と光源用電源ブロック５が一度の作業によって交換されるため、交換作業を容易に行うことができると共に交換された光源ブロック４に関する適正な動作状態を確保することができる。
【０１１１】
尚、プロジェクター１においては、外筐２に光源ブロック４、光源用電源ブロック５又は光源ユニット１００の交換用の開口が形成され、この開口が開閉可能な図示しないカバーによって閉塞されていてもよい。カバーが設けられることにより、外筐２からカバーを取り外すことにより光源ブロック４、光源用電源ブロック５又は光源ユニット１００の交換を行うことが可能になり、交換作業を容易かつ迅速に行うことができる。また、カバーによる開口の閉塞時には、外筐２の内部への塵埃の侵入を防止することができる。
【０１１２】
また、外筐２の内部に冷却風の流動方向を変更することが可能なルーバーが設けられていてもよい。ルーバーが設けられていることにより、交換された光源ブロック４、４Ａ、４Ｘに応じてルーバーの向きを変更して冷却風の流動方向を変更することが可能になり、交換された光源ブロック４、４Ａ、４Ｘの種類に応じて必要な部位を冷却し、冷却効率の向上を図ることができる。
【０１１３】
さらに、交換される光源ブロック４、４Ａ、４Ｘによって操作されるスイッチを設けたり、光源ブロック４、４Ａ、４Ｘを検出する検出部を設けてもよい。このようなスイッチや検出部を設けることにより、スイッチの操作状態や検出部による検出結果に応じてルーバーの向きを自動的に変更したり冷却機構による冷却の程度を自動的に調整することが可能であり、交換された光源ブロック４、４Ａ、４Ｘに最適な冷却状態を確保することができる。
【０１１４】
＜光源ブロックの変形例＞
以下に、光源ブロック４Ａと光源ブロック４Ｘの変形例について説明する（図６乃至図１０参照）。
【０１１５】
尚、以下に示す変形例に係る光源ブロック４Ｂ、４Ｃ、４Ｄ、４Ｅ、４Ｙは、上記した光源ブロック４Ａ、４Ｘと比較して、ケースの構成又は内部構造の構成が異なることのみが相違するため、光源ブロック４Ａ、４Ｘと比較して異なる部分についてのみ詳細に説明をし、その他の部分については光源ブロック４Ａ、４Ｘにおける同様の部分に付した符号と同じ符号を付して説明は省略する。
【０１１６】
光源ブロック４Ａの第１の変形例に係る光源ブロック４Ｂはケース９Ｂと光源１０Ｂとレンズ１１を有している（図６参照）。
【０１１７】
ケース９Ｂは一部が他の部分より突出されてファン配置部９ｆとして設けられている。ファン配置部９ｆには第１の冷却ファン１６が配置されている。従って、光源ブロック４Ｂが用いられる場合には、光源ブロック４Ｂの外側に予め第１の冷却ファン１６が配置されていない。
【０１１８】
光源１０Ｂとしてはレーザーダイオードが用いられている。光源１０Ｂは基板３７上に搭載されている。
【０１１９】
ケース９Ｂの内部にはヒートシンク３８と第１の反射ミラー３９と第２の反射ミラー４０とホイールモーター４１が配置されている。ケース９Ｂの配置空間９ｅは密閉空間にされている。
【０１２０】
上記のように構成された光源ブロック４Ｂにおいて光源１０Ｂから青色の光が出射されると、出射された光は順に第１の反射ミラー３９と第２の反射ミラー４０で反射され、ホイールモーター４１の回転によって白色光にされた状態でレンズ１１に入射され、レンズ１１から光学ユニット６へ向かう。光源１０Ｂから光が出射されるときには、光源１０Ｂと基板３７から発生する熱がヒートシンク３８に伝達されてヒートシンク３８から放熱空間９ｄに放出される。
【０１２１】
このとき外筐２の内部に存在する空気が取入孔９ｃを介して放熱空間９ｄに冷却風として取り込まれてヒートシンク３８が冷却され、冷却により温度が上昇した冷却風が第２の冷却ファン１７によって流出孔９ｂから排出される。また、ケース９Ｂの内部に存在する空気が第１の冷却ファン１６によって配置空間９ｅにおいて対流し、この対流する空気が冷却風となりホイールモーター４１等が冷却される。
【０１２２】
上記のように光源ブロック４Ｂにあっては、ケース９Ｂの配置空間９ｅが密閉空間にされているため、配置空間９ｅへの塵埃や水分の侵入が防止され、配置空間９ｅに配置された各部への塵埃や水分の付着を防止することができる。
【０１２３】
また、光源ブロック４Ｂにあっては、第１の冷却ファン１６がホイールモーター４１の近傍に位置されており、駆動時に温度が上昇するホイールモーター４１を第１の冷却ファン１６により生成される冷却風によって十分に冷却することができる。
【０１２４】
光源ブロック４Ａの第２の変形例に係る光源ブロック４Ｃはケース９Ｃと光源１０Ｃとレンズ１１を有している（図７参照）。
【０１２５】
ケース９Ｃは、例えば、直方体形状又は立方体形状の箱状に形成されている。ケース９Ｃには同じ面に流入孔９ａと循環用孔９ｇが形成されている。
【０１２６】
光源１０Ｃとしてはレーザーダイオードが用いられている。
【０１２７】
ケース９Ｃの内部にはヒートシンク３８と第１の反射ミラー３９と第２の反射ミラー４０とホイールモーター４１が配置されている。
【０１２８】
ケース９Ｃの外面側にはダクト４５とダクト４６が設けられ、ダクト４５は一端部が第１の冷却ファン１６の吸気部に連結され他端部が循環用孔９ｇに連通され、ダクト４６は一端部が第１の冷却ファン１６の送風部に連結され他端部が流入孔９ａに連通されている。従って、ケース９Ｃに形成された流入孔９ａと循環用孔９ｇはダクト４５と第１の冷却ファン１６とダクト４６を介して連通されている。
【０１２９】
上記のように構成された光源ブロック４Ｃにおいて光源１０Ｃから青色の光が出射されると、出射された光は順に第１の反射ミラー３９と第２の反射ミラー４０で反射され、ホイールモーター４１の回転によって白色光にされた状態でレンズ１１に入射され、レンズ１１から光学ユニット６へ向かう。光源１０Ｃから光が出射されるときには、光源１０Ｃと基板３７から発生する熱がヒートシンク３８に伝達されてヒートシンク３８から放熱空間９ｄに放出される。
【０１３０】
このとき外筐２の内部に存在する空気が取入孔９ｃを介して放熱空間９ｄに冷却風として取り込まれてヒートシンク３８が冷却され、冷却により温度が上昇した冷却風が第２の冷却ファン１７によって流出孔９ｂから排出される。また、第１の冷却ファン１６によってケース９Ｃの内部に存在する空気が配置空間９ｅとダクト４５において循環された状態で対流し、この対流する空気が冷却風となりホイールモーター４１等が冷却される。
【０１３１】
上記のように光源ブロック４Ｃにあっては、ケース９Ｃの内部に存在する空気が配置空間９ｅとダクト４５とダクト４６において循環されるため、配置空間９ｅへの塵埃や水分の侵入が抑制され、配置空間９ｅに配置された各部への塵埃や水分の付着を抑制することができる。
【０１３２】
また、光源ブロック４Ｃにあっては、流入孔９ａがホイールモーター４１の近傍に位置されており、駆動時に温度が上昇するホイールモーター４１を第１の冷却ファン１６により生成される冷却風によって十分に冷却することができる。
【０１３３】
さらに、光源ブロック４Ｃにおいては、流動孔として機能する流入孔９ａが外筐２に配置された第１の冷却ファン１６に対向する位置に形成されている。
【０１３４】
従って、光源ブロック４Ｃに交換されたときに流入孔９ａと第１の冷却ファン１６の位置が一致されるため、第１の冷却ファン１６に対する光源ブロック４の位置決め作業を行うことなく冷却機構による光源ブロック４Ｃに対する高い冷却性能を確保することができる。
【０１３５】
光源ブロック４Ａの第３の変形例に係る光源ブロック４Ｄはケース９Ｄと光源１０Ｄとレンズ１１を有している（図８参照）。
【０１３６】
ケース９Ｄは、例えば、直方体形状又は立方体形状の箱状に形成されている。ケース９Ｄには、例えば、対向する各面に流入孔９ａと換気孔９ｈが形成されている。
【０１３７】
光源１０Ｄとしてはレーザーダイオードが用いられている。
【０１３８】
ケース９Ｄの内部にはヒートシンク３８と第１の反射ミラー３９と第２の反射ミラー４０とホイールモーター４１が配置されている。
【０１３９】
上記のように構成された光源ブロック４Ｄにおいて光源１０Ｄから青色の光が出射されると、出射された光は順に第１の反射ミラー３９と第２の反射ミラー４０で反射され、ホイールモーター４１の回転によって白色光にされた状態でレンズ１１に入射され、レンズ１１から光学ユニット６へ向かう。光源１０Ｄから光が出射されるときには、光源１０Ｄと基板３７から発生する熱がヒートシンク３８に伝達されてヒートシンク３８から放熱空間９ｄに放出される。
【０１４０】
このとき外筐２の内部に存在する空気が取入孔９ｃを介して放熱空間９ｄに冷却風として取り込まれてヒートシンク３８が冷却され、冷却により温度が上昇した冷却風が第２の冷却ファン１７によって流出孔９ｂから排出される。また、第１の冷却ファン１６によって流入孔９ａを介してケース９Ｄの内部に冷却風が取り込まれて配置空間９ｅに配置された各部が冷却され、冷却により温度が上昇した冷却風が換気孔９ｈから排出される。
【０１４１】
このように光源ブロック４Ｄにあっては、第１の冷却ファン１６によってケース９Ｄの内部に冷却風が取り込まれて配置空間９ｅに配置された各部が冷却されるため、ケース９Ｄの内部に配置された各部に対する高い冷却性能を確保することができる。
【０１４２】
特に、光源ブロック４Ｄにあっては、流入孔９ａがホイールモーター４１の近傍に位置されており、駆動時に温度が上昇するホイールモーター４１を第１の冷却ファン１６により生成される冷却風によって十分に冷却することができる。
【０１４３】
また、光源ブロック４Ｄにおいては、流動孔として機能する流入孔９ａが外筐２に配置された第１の冷却ファン１６に対向する位置に形成されている。
【０１４４】
従って、光源ブロック４Ｄに交換されたときに流入孔９ａと第１の冷却ファン１６の位置が一致されるため、第１の冷却ファン１６に対する光源ブロック４の位置決め作業を行うことなく冷却機構による光源ブロック４Ｄに対する高い冷却性能を確保することができる。
【０１４５】
光源ブロック４Ａの第４の変形例に係る光源ブロック４Ｅはケース９Ｅと光源１０Ｅ、１０Ｅ、１０Ｅとレンズ１１を有している（図９参照）。
【０１４６】
ケース９Ｅは、例えば、直方体形状又は立方体形状の箱状に形成されている。
【０１４７】
光源１０Ｅ、１０Ｅ、１０Ｅとしてはレーザーダイオードが用いられ、光源１０Ｅ、１０Ｅ、１０Ｅからはそれぞれ赤色の光と緑色の光と青色の光とが出射される。光源１０Ｅ、１０Ｅ、１０Ｅはそれぞれ基板３７、３７、３７上に搭載されている。
【０１４８】
ケース９Ｅの内部にはヒートシンク４７が配置され、第１の反射ミラー３９と第２の反射ミラー４０とホイールモーター４１は配置されていない。
【０１４９】
ヒートシンク４７は前後方向を向く板状に形成されたベース部４７ａとベース部４７ａから後方に突出された放熱フィン４７ｂ、４７ｂ、・・・とベース部４７ａから前方に突出された突状配置部４７ｃ、４７ｃとを有し、放熱フィン４７ｂ、４７ｂ、・・・の後端がケース９Ｅの後面部より前方に位置されている。
【０１５０】
光源１０Ｅ、１０Ｅ、１０Ｅが搭載された基板３７、３７、３７はそれぞれヒートシンク４７のベース部４７ａと突状配置部４７ｃ、４７ｃに配置されている。
【０１５１】
配置空間９ｅにはレンズ１１の後方にダイクロイックプリズム４８が配置され、ダイクロイックプリズム４８の三つの各面がそれぞれ光源１０Ｅ、１０Ｅ、１０Ｅに対向した状態で近接して位置されている。ダイクロイックプリズム４８はそれぞれ光を反射又は透過する第１の制御面４８ａと第２の制御面４８ｂを有している。配置空間９ｅは密閉空間にされている。
【０１５２】
上記のように構成された光源ブロック４Ｅにおいて光源１０Ｅ、１０Ｅ、１０Ｅからそれぞれ赤色の光と緑色の光と青色の光が出射されると、出射された光はダイクロイックプリズム４８に入射され、赤色の光は第１の制御面４８ａで反射され、緑色の光は第１の制御面４８ａと第２の制御面４８ｂを透過され、青色の光は第２の制御面４８ｂで反射される。赤色の光と緑色の光と青色の光は第１の制御面４８ａと第２の制御面４８ｂにおいて反射又は透過されることにより合成され、レンズ１１から光学ユニット６へ向かう。光源１０Ｅ、１０Ｅ、１０Ｅから光が出射されるときには、光源１０Ｅ、１０Ｅ、１０Ｅと基板３７、３７、３７から発生する熱がヒートシンク４７に伝達されてヒートシンク４７から放熱空間９ｄに放出される。
【０１５３】
このとき外筐２の内部に存在する空気が取入孔９ｃを介して放熱空間９ｄに冷却風として取り込まれてヒートシンク４７が冷却され、冷却により温度が上昇した冷却風が第２の冷却ファン１７によって流出孔９ｂから排出される。
【０１５４】
このように光源ブロック４Ｅにあっては、ダイクロイックプリズム４８が配置されているが、第１の反射ミラー３９と第２の反射ミラー４０とホイールモーター４１は配置されないため、部品点数の削減による製造コストの低減を図ることができる。
【０１５５】
また、第１の反射ミラー３９と第２の反射ミラー４０とホイールモーター４１が配置されない分、配置空間９ｅの大きさを小さくしてヒートシンク４７の放熱フィン４７ｂ、４７ｂ、・・・の長さを長くして放熱面積を大きくすることができ、高い放熱性を確保することができる。
【０１５６】
光源ブロック４Ｘの第１の変形例に係る光源ブロック４Ｙはケース９Ｙと光源１０Ｙ、１０Ｙ、１０Ｙとレンズ１１を有している（図１０参照）。
【０１５７】
ケース９Ｙは、例えば、直方体形状又は立方体形状の箱状に形成されている。
【０１５８】
光源１０Ｙ、１０Ｙ、１０Ｙとしては発光ダイオードが用いられ、光源１０Ｙ、１０Ｙ、１０Ｙからはそれぞれ赤色の光と緑色の光と青色の光とが出射される。光源１０Ｙ、１０Ｙ、１０Ｙはそれぞれ基板４２、４２、４２上に搭載されている。
【０１５９】
ケース９Ｙの内部にはヒートシンク４９が配置され、反射鏡４４は配置されていない。
【０１６０】
ヒートシンク４９は前後方向を向く板状に形成されたベース部４９ａとベース部４９ａから後方に突出された放熱フィン４９ｂ、４９ｂ、・・・とベース部４９ａから前方に突出された突状配置部４９ｃ、４９ｃとを有し、放熱フィン４９ｂ、４９ｂ、・・・の後端がケース９Ｙの後面部より前方に位置されている。
【０１６１】
光源１０Ｙ、１０Ｙ、１０Ｙが搭載された基板４２、４２、４２はそれぞれヒートシンク４９のベース部４９ａと突状配置部４９ｃ、４９ｃに配置されている。
【０１６２】
配置空間９ｅにはレンズ１１の後方にダイクロイックプリズム５０が配置され、ダイクロイックプリズム５０の三つの各面がそれぞれ光源１０Ｙ、１０Ｙ、１０Ｙに対向した状態で近接して位置されている。ダイクロイックプリズム５０はそれぞれ光を反射又は透過する第１の制御面５０ａと第２の制御面５０ｂを有している。配置空間９ｅは密閉空間にされている。
【０１６３】
上記のように構成された光源ブロック４Ｙにおいて光源１０Ｙ、１０Ｙ、１０Ｙからそれぞれ赤色の光と緑色の光と青色の光が出射されると、出射された光はダイクロイックプリズム５０に入射され、赤色の光は第１の制御面５０ａで反射され、緑色の光は第１の制御面５０ａと第２の制御面５０ｂを透過され、青色の光は第２の制御面５０ｂで反射される。赤色の光と緑色の光と青色の光は第１の制御面５０ａと第２の制御面５０ｂにおいて反射又は透過されることにより合成され、レンズ１１から光学ユニット６へ向かう。光源１０Ｙ、１０Ｙ、１０Ｙから光が出射されるときには、光源１０Ｙ、１０Ｙ、１０Ｙと基板４２、４２、４２から発生する熱がヒートシンク４９に伝達されてヒートシンク４９から放熱空間９ｄに放出される。
【０１６４】
このとき外筐２の内部に存在する空気が取入孔９ｃを介して放熱空間９ｄに冷却風として取り込まれてヒートシンク４９が冷却され、冷却により温度が上昇した冷却風が第２の冷却ファン１７によって流出孔９ｂから排出される。
【０１６５】
このように光源ブロック４Ｙにあっては、光源１０Ｙ、１０Ｙ、１０Ｙに近接して位置されたダイクロイックプリズム５０が配置されているが、反射鏡４４は配置されない分、配置空間９ｅの大きさを小さくしてヒートシンク４９の放熱フィン４９ｂ、４９ｂ、・・・の長さを長くして放熱面積を大きくすることができ、高い放熱性を確保することができる。
【０１６６】
＜まとめ＞
以上に記載した通り、プロジェクター１にあっては、光源ブロック４（４Ａ、４Ｂ、４Ｃ、４Ｄ、４Ｅ、４Ｘ、４Ｙ、以下同じ。）が種類の異なる光源（１０Ａ、１０Ｂ、１０Ｃ、１０Ｄ、１０Ｅ、１０Ｘ、１０Ｙ、以下同じ。）が種類の異なる光源１０をそれぞれ有する異なる種類に交換可能とされている。
【０１６７】
従って、異なる種類の光源ブロック４の交換により種類の異なる光源１０の使用が可能とされるため、汎用性の向上を図ることができる。
【０１６８】
また、冷却風を生成する第１の冷却ファン１６又は第２の冷却ファン１７の少なくとも一方を有する冷却機構が設けられ、ケース９（９Ａ、９Ｂ、９Ｃ、９Ｄ、９Ｅ、９Ｘ、９Ｙ）には光源１０の種類に応じた位置に冷却風を光源ブロック４の内外で流動させる流動孔（流入孔９ａ、流出孔９ｂ、取入孔９ｃ、循環用孔９ｇ、換気孔９ｈ）が形成されている。
【０１６９】
従って、第１の冷却ファン１６又は第２の冷却ファン１７によって生成された冷却風が交換された光源ブロック４の種類に拘わらず光源ブロック４の内外で流動されるため、光源ブロック４の種類に拘わらず必要な箇所に冷却風を送って光源ブロック４の冷却を行うことができる。
【０１７０】
さらに、光源ブロック４に光学ユニット６に対して位置決めを行う位置決め部１３、１３が設けられている。従って、光源ブロック４の交換時に光源ブロック４が光学ユニット６に対して位置決めされて光源ブロック４と光学ユニット６の適正な位置関係が容易に確保され、交換された光源ブロック４の種類に拘わらずプロジェクター１の動作の適正化を図ることができる。
【０１７１】
さらにまた、光源ブロック４に光学ユニット６に締結される締結部が設けられている場合には、光源ブロック４の交換時に光源ブロック４が光学ユニット６に締結部によって締結されるため、交換された光源ブロック４の種類に拘わらず光源ブロック４を光学ユニット６に容易に取り付けることができる。
【０１７２】
加えて、位置決め部１３、１３と締結部が共通化されている場合には、光源ブロック４の交換時に光源ブロック４が光学ユニット６に対して位置決めされると共に光源ブロック４が光学ユニット６に締結部によって締結されるため、交換された光源ブロック４の種類に拘わらず光源ブロック４の構造の簡素化を図ることができる。
【０１７３】
尚、上記には、光源ブロック４、４Ａ、４Ｂ、４Ｃ、４Ｄ、４Ｅ、４Ｘ、４Ｙの相互間の交換について説明したが、プロジェクター１においては、同じ種類同士の光源ブロック４、光源用電源ブロック５又は光源ユニット１００の交換を行うことも可能である。例えば、光源ブロック４を新たな光源ブロック４に交換したり、光源ブロック４Ａを新たな光源ブロック４Ａに交換することも可能である。
【０１７４】
＜本技術＞
本技術は、以下のような構成にすることができる。
【０１７５】
（１）
変調素子を含む光学系が配置された光学ユニットと、
前記変調素子に信号を送出する信号ユニットと、
光を出射する光源と前記光源から出射された光を前記光学ユニットに入射させるレンズと内部に前記光源が配置されたケースとを有する光源ブロックと、
前記光源に電力を供給する光源用電源ブロックと、
前記信号ユニットと前記光源用電源ブロックに電力を供給する電源ユニットと、
前記光学ユニットと前記信号ユニットと前記電源ユニットと前記光源ブロックと前記光源用電源ブロックが配置された外筐とを備え、
前記光源ブロックは種類の異なる前記光源をそれぞれ有する異なる種類に交換可能とされた
プロジェクター。
【０１７６】
（２）
前記光源用電源ブロックは前記光源ブロックの種類に応じた異なる種類に交換可能とされた
前記（１）に記載のプロジェクター。
【０１７７】
（３）
前記光源ブロックと前記光源用電源ブロックが光源ユニットとして設けられ、
前記光源ユニットは異なる種類に交換可能とされた
前記（１）に記載のプロジェクター。
【０１７８】
（４）
冷却風を生成する少なくとも一つの冷却ファンを有する冷却機構が設けられ、
前記ケースには前記光源の種類に応じた位置に前記冷却ファンによって生成される冷却風を前記光源ブロックの内外で流動させる流動孔が形成された
前記（１）から前記（３）の何れかに記載のプロジェクター。
【０１７９】
（５）
前記流動孔が前記冷却ファンに対向する位置に形成された
前記（４）に記載のプロジェクター。
【０１８０】
（６）
前記冷却ファンが前記外筐に取り付けられている
前記（４）又は前記（５）に記載のプロジェクター。
【０１８１】
（７）
前記光源ブロックには前記光学ユニットに対して位置決めを行う位置決め部が設けられた
前記（１）から前記（６）の何れかに記載のプロジェクター。
【０１８２】
（８）
前記光源ブロックには前記光学ユニットに締結される締結部が設けられた
前記（７）に記載のプロジェクター。
【０１８３】
（９）
前記位置決め部と前記締結部が共通化された
前記（８）に記載のプロジェクター。
【符号の説明】
【０１８４】
１…プロジェクター、２…外筐、４…光源ブロック、５…光源用電源ブロック、６…光学ユニット、７…信号ユニット、８…電源ユニット、９…ケース、９ａ…流入孔（流動孔）、９ｂ…流出孔（流動孔）、９ｃ…取入孔（流動孔）、１０…光源、１１…レンズ、１３…位置決め部、１６…第１の冷却ファン、１７…第２の冷却ファン、２０…光学系、３０Ｒ…第１の変調素子、３０Ｇ…第２の変調素子、３０Ｂ…第３の変調素子、４Ａ…光源ブロック、９Ａ…ケース、１０Ａ…光源、４Ｘ…光源ブロック、９Ｘ…ケース、１０Ｘ…光源、１００…光源ユニット、４Ｂ…光源ブロック、９Ｂ…ケース、１０Ｂ…光源、４Ｃ…光源ブロック、９Ｃ…ケース、９ｇ…循環用孔（流動孔）、１０Ｃ…光源、４Ｄ…光源ブロック、９Ｄ…ケース、９ｈ…換気孔（流動孔）、１０Ｄ…光源、４Ｅ…光源ブロック、９Ｅ…ケース、１０Ｅ…光源、４Ｙ…光源ブロック、９Ｙ…ケース、１０Ｙ…光源
【図１】
2017159113.tif 000003
【図２】
2017159113.tif 000004
【図３】
2017159113.tif 000005
【図４】
2017159113.tif 000006
【図５】
2017159113.tif 000007
【図６】
2017159113.tif 000008
【図７】
2017159113.tif 000009
【図８】
2017159113.tif 000010
【図９】
2017159113.tif 000011
【図１０】
2017159113.tif 000012
【国際調査報告】
2017159113.tif 000013
2017159113.tif 000014
2017159113.tif 000015
2017159113.tif 000016